Podtech/llm-jp-corpus-v4-ja_patent huggingface dataset:
(57)【要約】      （修正有）【課題】ゴミ袋をゴミ箱の内側で、綺麗に装着し、固定できるゴミ袋固定用の器具を提供する。【解決手段】ゴミ箱２の口の部位の内周に装着して用いる、帯状の薄板（帯板６）と、その支持具７からなる、ゴミ袋固定用の器具であって、支持具７は、ゴミ箱２に貼り付けられるものであり、支持具７の隙間には、帯状の薄板（６）が差し込まれる。【選択図】図５
0003217817.tif 000002
【実用新案登録請求の範囲】
【請求項１】
ゴミ箱の口の部位の内周に装着して用いる、帯状の薄板と、その支持具からなる、ゴミ袋固定用の器具。
【考案の詳細な説明】
【技術分野】
【０００１】ゴミ袋の内側に装着するゴミ袋は、ゴミ箱を水気で汚さない為や、溜まったゴミを袋のまま取り出すことができ、その処理を容易にする為に用いられている。【０００２】家庭におけるゴミ袋は、スーパー等が配るレジ袋（図３）を再利用する例が多い。一方、事務所などでは、箱のサイズに合わせた、専用のゴミ袋が用いられることが多い。【０００３】これらのゴミ袋の大半は、把手（図３−４）を具えている。
【背景技術】
【０００４】これまで、ゴミ袋をゴミ箱に固定する方法は、単に袋の口の縁を、箱の口の外側に折り返すだけで（図１）、まれに折り返した袋を、ゴムベルトや紐で鉢巻き状に絞めつけて固定している（図２）。【０００５】ゴミ袋の材質は、大半がポリエチレン樹脂製で、そのフィルムの厚みは極薄で、３０ミクロン前後である。
【考案の概要】
【考案が解決しようとする課題】
【０００６】ゴミ箱の内側に装着するゴミ袋を、簡単な作業で綺麗に装着したい。即ち、ゴミ袋の口の部分や袋の把手部分を、箱の外側に垂れ下がらせないように始末したい。
【課題を解決するための手段】
【０００７】この課題を解決するための、請求項１の考案になる器具（図４）を、ゴミ箱の口の部分の内周に装着し（図５）て用いる。袋は口の部位を、帯状の板に引っかけて固定する（図１０）。【０００８】考案になる器具は、帯板（図６）と帯板の支持具（図７）からなる。支持具は接着テープ（図７−９）で、ゴミ箱の、ほぼ等間隔に、数ヶ所に貼りつける（図９）。この支持具は、ズボンの「ベルト通し」と呼ばれる部品に相当する。【０００９】器具の帯板は、支持具（図７）の隙間に差しこむ（図８）。これにより、帯板がゴミ箱の内周に、貼りつくことになる。【００１０】本考案になる器具の素材は、板紙や樹脂のシートが利用できる。【００１１】本考案になる器具は、ゴミ箱の形が角形でも、円筒形でも適応できる。図５は円筒形のゴミ箱の、口の内側に接着した例である。【００１２】本考案になる帯板は、ゴミ箱の内周に一重でも二重でも、重ね合わせて用いてもよい。【００１３】本考案になる帯板を櫛形（図６）にした理由は、多くの底窄（すぼ）み形のゴミ箱に適応するためである。但し、帯の巾が小さい場合は、必ずしも櫛形（切り込みを入れる）にする必要はない。
【本考案の効果】
【００１４】ゴミ袋はゴミ箱の内側に装着できることになり、外観が綺麗になる（図１１）。
【００１５】把手（４）やとじ紐（５）付きのレジ袋も、簡単に始末でき（図１０）、用済み袋の再利用に抵抗がなくなる。
【図面の簡単な説明】
【００１６】
【図１】は、ゴミ箱にゴミ袋を投入した図。
【図２】は、ゴミ袋をゴミ箱に、ゴムベルトで固定した図である。
【図３】は、レジ袋の斜視図である。
【図４】は、本考案になるゴミ袋の固定器具である。
【図５】は、本考案になる固定器具を、ゴミ箱の上部の内側に接着した状態を示す。
【図６】は、固定器を構成する帯板を示す。
【図７】は、帯板を支持する器具。
【図８】は、帯板を支持具に差し込んだ図。
【図９】は、帯板の支持具を、ゴミ箱の内側に等間隔で、貼りつけた状態を示す。
【図１０】は、固定器具と、ゴミ箱の胴板との間に生じた隙間に、ゴミ袋の口の部分を差し込んだ状態を、断面図で示す。
【図１１】は、本考案になる固定器具に、ゴミ袋を装着し、綺麗に始末された状態を示す。
【考案を実施するための形態】
【００１７】本考案になる器具の帯板は、弾力性を備えることが望ましい。その素材は、ポリプロピレン樹脂製のシートがよい。
【００１８】帯板の器具の大きさの目安は、縦６ｃｍ程度、横４０ｃｍ前後がよい。
その厚みは０．２ｍｍが目安である。
【符号の説明】
【００１９】１  …  １は、ゴミ袋。
２  …  ２は、ゴミ箱。
３  …  ３は、ゴムベルト。
４  …  ４は、把手。
５  …  ５は、とじ紐。
６  …  ６は、帯板。
７  …  ７は、帯板の支持具。
８  …  ８は、切り込み。
９  …  ９は、両面接着テープ。
【図１】
0003217817.tif 000003
【図２】
0003217817.tif 000004
【図３】
0003217817.tif 000005
【図４】
0003217817.tif 000006
【図５】
0003217817.tif 000007
【図６】
0003217817.tif 000008
【図７】
0003217817.tif 000009
【図８】
0003217817.tif 000010
【図９】
0003217817.tif 000011
【図１０】
0003217817.tif 000012
【図１１】
0003217817.tif 000013
【手続補正書】
【提出日】平成30年6月18日(2018.6.18)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱の口の部位の内周に装着して用いる、帯状の薄板と、その支持具からなる、ゴミ袋固定用の器具であって、
前記支持具は、ゴミ箱に貼り付けられるものであり、前記支持具の隙間には、
前記帯状の薄板が差し込まれる、
ことを特徴とするゴミ袋固定用の器具。
(57)【要約】      （修正有）【課題】フロイスとしても、フロ洗面器としても共用できる構造とし、風呂場のスペースを有効に活用できるフロ洗面器を提供する。【解決手段】フロ洗面器１は筒形状の側壁１１の上端に形成され、人が座る天板１２を備え、天板１２に排水穴１３が形成されたフロイス本体１０と、その排水穴１３をふさぐフタ２０を備え、フロイス本体１０を反転させることで、側壁１１の内部に湯水を貯留可能であり、洗面器内部にある湯水５が外部へ、わずかづつ漏水するように、フタ２０とフロイス本体１０間にスキマが設けられている。【選択図】図１
0003217819.tif 000002
【実用新案登録請求の範囲】
【請求項１】
筒形状の側壁の上端に形成された人が座る天板を備え、天板に排水穴が形成されたフロイス本体と、その排水穴をふさぐフタを備え、フロイス本体を反転させることで、側壁の内部にある湯水を貯留可能なフロ洗面器であって、側壁の内部にある湯水が外部へ、わずかづつ漏水するように、フタとフロイス本体間にスキマが設けられたことを特長とするフロ洗面器。
【考案の詳細な説明】
【技術分野】
【０００１】フロ洗面器に関する。
【背景技術】
【０００２】風呂場では風呂椅子（フロイス）と風呂洗面器（フロ洗面器）とは、別々の物品として使用されている。
【考案の概要】
【考案が解決しようとする課題】
【０００３】フロイスとしてもフロ洗面器としても共用できる構造とし、風呂場のスペースを有効に活用できるフロ洗面器を提供することを目的とする。
【課題を解決するための手段】
【０００４】筒形状の側壁の上端に形成された、人が座る天板を備え、天板に排水穴が形成されているフロイス本体と、その排水穴をふさぐフタを備え、フロイス本体を反転させることで、側壁の内部に湯水を貯留可能なフロ洗面器であって、側壁内部にある湯水が外部へ、わずかづつ漏水するように、フタとフロイス本体間にスキマが設けられたことを特長とするフロ洗面器である。
【考案の効果】
【０００５】本考案は、フロイスとしても、フロ洗面器としても共用できる構造とし、風呂場のスペースを有効に活用できるフロ洗面器を提供することができる。
【図面の簡単な説明】
【０００６】
【図１】本考案の実施形態に係るフロ洗面器を洗面器として使用した状態を示している。
【図２】本考案の実施形態に係るフロ洗面器をイスとして使用した状態を示している。
【考案を実施するための形態】
【０００７】本考案に係る実施形態のフロ洗面器１は、筒形状の側壁１１の上端に形成され、人が座る天板１２を備え、天板１２に排水穴１３が形成されたフロイス本体１０と、その排水穴１３をふさぐフタ２０を備え、フロイス本体１０を反転させることで、側壁１１の内部に湯水を貯留可能であり、側壁１１の内部にある湯水５が外部へ、わずかづつ漏水するように、フタ２０とフロイス本体１０間にスキマが設けられている。
【０００８】フロ洗面器１は小学校低学年でも大人でも自分が用いるフロイスを洗面器としても利用可能とすることが目的である。
本実施形態で用いる「フロイス」は、中央に円形の排水穴があり、身体を洗った湯水が、その排水穴から流れ出るようになっている。その流れ出る湯水は外部へ、流れ出るし、流れ落ちるのである。図１と図２の中の５は流れ出るシズクを表示している。
【０００９】従来、次の要件が満たされねばならないことが、今まで見過ごされてきた。
それは、中央の円形の穴を内側から、キャップの挿入でふさいだとき、その本体の中央の穴に挿入したキャップと穴周辺との間に、湯水が外部にもれる隙間ができる。この隙間の処理方法が本考案の構造上の必須条件である。
上に述べた、円形の穴の周辺から、外部にもれる隙間の有効性は、フロイスとして使用を終えたときに、中央の穴の部分に挿入したキャップと穴の周辺との間から湯水が非常に遅々とした速度で、外部へ「もれる」ことが、本考案の構造上の必須条件となるのである。
上に述べた、円形の穴の周辺から外部へもれる隙間（スキマ）の有効性は、フロイスとして使用を終えた時にも、反対にフロ洗面器として使用を終えた時にも、残っている湯水が、このスキマから排水されるという、二つの役割をもたせて作られている。
それゆえに、次回これを使う時には、湯水がほとんど残っておらず、好都合であるという効果が発生する。
【００１０】本実施例によれば、比較的力の弱い者でもフタが着脱でき、自宅の風呂場で、これを使用するのに有効である。
上のフタの着脱力を加減するには、うすいぬの切れをはさんでフタをするのが有効である。
【符号の説明】
【００１１】１      フロ洗面器
１０    フロイス本体
１１    側壁
１２    天板
１３    排水穴
２０    フタ
【図１】
0003217819.tif 000003
【図２】
0003217819.tif 000004
(57)【要約】      （修正有）【課題】炭熾し作業が点火のみの簡易な作業で、自動的に木炭の着火迄を可能にする段ボール製炭熾し具を提供する。【解決手段】炭熾し作業の際、着火材となる積層段ボールの構造体を、二段の層に形成し点火部となる一段層に着火機能の高い点火材Ｈを配し、二段層床面に積層段ボールＥを設置し、二段層に木炭Ｇを配した。また、炭熾し作業の際、着火材となる積層段ボールの中芯空洞部の管方向を、炭熾しに有効な方向に組み合わせて形成した。【選択図】図２
0003217816.tif 000002
【実用新案登録請求の範囲】
【請求項１】
炭熾し作業の際、着火材となる積層段ボールの構造体を、二段の層に形成した事を特徴とした段ボール製炭熾し具。
【請求項２】
炭熾し作業の際、着火材となる積層段ボールの中芯空洞部の管方向を、炭熾しに有効な方向に組み合わせて形成した事を特徴とした段ボール製炭熾し具。
【考案の詳細な説明】
【技術分野】
【０００１】  本考案は、バーベキュー等の際に必要となる厄介で危険な炭熾し作業に関するものである。
【背景技術】
【０００２】  アウトドアレジャーの広まりが顕著な現代社会に於いて、バーベキューを楽しむ人口も増加している。
その際、厄介で危険な炭熾し作業の補助用として着火剤や着火バーナー等数多くの炭熾し補助具が販売されている。（図１）
【考案の開示】
【考案が解決しようとする課題】
【０００３】  しかし、現代の社会生活に於いて炭熾し作業は殆ど必要が無くなっている事から、大多数の人は炭熾し作業の心得が無い状況である。
故に、炭熾し補助具が多く存在しているものの課題として、その殆どが火力を強める工夫による事から、不快な燃焼材の臭いや火傷、火災等の危険も併せ持つ道具になっている。
又、木炭の配置や組み立て方も燃焼エネルギーや酸素の供給を考慮した方法が必要な事から、楽しみを求めたリフレッシュレジャーが厄介で手間の掛かる危険な作業となっている。
又、目に煙が入ったり、炭で手が汚れる等、調理や食事を前にして不潔な面や作業ストレスになる場合も多い。
【課題を解決する為の手段】
【０００４】  そこで、当課題を解決する為、請求項１の考案は、積層段ボールの構造体を上下二段の層にして、下段に点火材、上段に木炭を配する事により、炭熾し作業が点火のみの簡易な作業で着火材となる積層段ボールを燃焼させ、自動的に木炭の着火迄を可能にするものである。（図２）
【０００５】  又、請求項２の考案は、点火から木炭への着火までの燃焼効率を高める為、熱エネルギーや酸素がスムーズに供給されるように、着火材であり構造体となる積層段ボールの中芯空洞部を導管として捉え、その向きを構造体の部位により変化させ形成するものである。（図２、図３）
【考案の効果】
【０００６】  この工夫により、未経験者であっても簡単な点火作業を行えば、その後は自動的に炭熾し完了迄のプロセスが可能になる事から、作業ストレスから解放され、火傷や火災の危険性も大きく低減し、快適かつ安全でスピディーな作業となり、バーベキュー本来の楽しさや美味しさを満喫できるものである。
【考案を実施する為の最良の形態】
【０００７】  本考案に係る炭熾し具は、構造形成材と燃焼着火材の二役を担う積層段ボールを二段層の構造体にして、点火部となる一段層には着火機能の高い燃えやすい薄紙や麻綿等を配し、二段層床面に積層段ボールを設置し、火力が強くなる最上部の二段層に木炭を配する上下二段の層とする。（図２）
【０００８】  更に段ボールが持つ特有の中芯空洞部を熱エネルギーと酸素供給のパイプとして捉え、側面は外部の酸素を内部に供給可能にする為に横方向の目なり（横目）とし、木炭を配置する二段層床面は、下部からの熱や酸素等の伝達効率が高められる縦方向の目なり（縦目）とし、安全で機能的に燃焼効率を高めるものである。（図３）
【図面の簡単な説明】
【０００９】
【図１】（１）従来の着火バーナー方式である。（２）従来の着火ジェル方式である。
【図２】積層段ボール構造体による着火具の使用全体図である。
【図３】（１）一般的な両面段ボールである。（２）積層段ボールである。（３）床面となる縦目（上下）方向の積層段ボールである。（４）側面となる横目（左右）方向の積層段ボールである。
【符号の説明】
【００１０】Ａ  炎
Ｂ  木炭
Ｃ  着火ジェル
Ｄ  横目の積層段ボール（側面）
Ｅ  縦目の積層段ボール（床面）
Ｆ  部分透視部
Ｇ  二段層の木炭
Ｈ  一段層の点火材
Ｉ  点火口
Ｊ  段ボール中芯空洞部
【図１】
0003217816.tif 000003
【図２】
0003217816.tif 000004
【図３】
0003217816.tif 000005
【手続補正書】
【提出日】平成30年6月15日(2018.6.15)
【手続補正１】
【補正対象書類名】実用新案登録請求の範囲
【補正対象項目名】全文
【補正方法】変更
【補正の内容】
【実用新案登録請求の範囲】
【請求項１】
炭熾し作業の際、着火材となる積層段ボールの構造体を、二段の層に形成した事を特徴とした段ボール製炭熾し具。
【請求項２】
炭熾し作業の際、着火材となる積層段ボールの中芯空洞部の管方向を、炭熾しに有効な方向に組み合わせて形成した事を特徴とする請求項１記載の段ボール製炭熾し具。
(57)【要約】      （修正有）【課題】布地などの生地を重ねて留めるなどの際に用いる安全ピンにおいて、生地の中へ入れ易く、更に、針先が生地の手前へ返し易い安全ピンを提供する。【解決手段】生地を重ねて留めるなどの際に用いる安全ピンにおいて、針先４を針軸１から離れるように半円状に湾曲させて、針先と針軸との２本で半円状を成し、針先を生地の中へ入れ易く、湾曲が誘導することとなって押し込み易く、更に、針先を生地の手前へ返し易い。【選択図】図２
0003217813.tif 000002
【実用新案登録請求の範囲】
【請求項１】
布地などの生地を重ねて留めるなどの際に用いる安全ピンにおいて、針先を直線の針軸から離れる方向へ半円状に湾曲させて、その針先を生地へ差し込んだのちに、生地の手前へ返し易く、誘導させる事のできる、針先と針軸との２本で半円状を成す安全ピン。
【請求項２】
布地などの生地を重ねて留めるなどの際に用いる安全ピンにおいて、針先も針軸も同じ方向へ半円状に湾曲させて、その針先を生地へ差し込んだのちに、生地の手前へ返し易く、誘導させる事のできる、針先と針軸との２本で三ヶ月状を成す安全ピン。
【請求項３】
布地などの生地を重ねて留めるなどの際に用いる安全ピンにおいて、針先を針軸とを各々の逆方向へ半円状に湾曲させて、その針先を生地へ差し込んだのちに、生地の手前へ返し易く、誘導させる事のできる、針先と針軸との２本で真円状を成す安全ピン。
【考案の詳細な説明】
【技術分野】
【０００１】  この考案は複数枚の生地を重ねて留めるなどの際に安全ピンの針先を湾曲させて、生地へ差し込んだのちに、針先を生地の手前へ返し易くする器具に関するものである。
【背景技術】
【０００２】  これまで、通常の安全ピンを用いて複数枚の生地を重ねて留めるなどの際には、厚い生地の場合には、針先を生地に差し込んだのちに、生地の厚さが抵抗となって、針先が生地の手前へ返り難いことが多く見られた。
針先が生地の手前へ返り難ければ、生地を留める作業に手間を取られることとなる。
【考案の概要】
【考案が解決しようとする課題】
【０００３】  通常の安全ピンを用いて複数枚の生地を重ねて留めるなどの際には、針先を生地へ差し込んだのちに、針先を生地の手前へ返すべく押し込むが、針先が直線であるから、生地の手前へ返す作業が困難であるので、これらの作業を簡単にする必要がある。
【課題を解決するための手段】
【０００４】  この考案は複数枚の厚い生地を重ねて留めるなどの際に、生地がずれない様にする為に用いるもので、一条の金属を中央部分で折り曲げて支点として、ねじりバネの作用が働くように設定する。【０００５】  針軸の一端は留め具の一端へ固定して、支点を挟んだ他の一端は先を尖らせて針先として、針軸から離れる方向へ針先を半円状に湾曲させて、針軸と針先との２本で成す形を半円状とする。【０００６】  その針先を生地へ差し込んだのちに、針先を湾曲に沿って押し込み、更に針先を生地の手前へ返らせたのちに、留め具の他の一端へ差し込むこととする。【０００７】  また、針軸を直線とするのではなく、針軸も針先も同じ方向へ半円状に湾曲させることで、針軸と針先との２本で成す形を三ヶ月状にすることも可能である。【０００８】  更に、針軸を直線とするのではなく、針軸と針先とを各々の逆方向へ半円状に湾曲させることで、針軸と針先との２本で成す形を真円状にすることも可能である。
【考案の効果】
【０００９】  このように，針先を生地へ差し込んだのちに、湾曲させた針先が案内となって、奥へ押し込みやすく、更に生地の手前へ返し易くなり、生地を留める作業がはかどる。
【図面の簡単な説明】
【００１０】
【図１】一条の金属を中央部分で折り曲げて支点を設けて、針軸と針先を持たせた通常の安全ピンです。
【図２】一条の金属を中央部分で折り曲げて支点を設けて、針先を針軸から離れるように半円状に湾曲させて、針先と針軸との２本で半円状を成す安全ピンです。
【図３】一条の金属を中央部分で折り曲げて支点を設けて、針先も針軸も同じ方向へ半円状に湾曲させて、針先と針軸との２本で三ヶ月状を成す安全ピンです。
【図４】一条の金属を中央部分で折り曲げて支点を設けて、針先を針軸とを各々の逆方向へ半円状に湾曲させて、針先と針軸との２本で真円状を成す安全ピンです。
【考案を実施するための形態】
【実施例】
【００１１】  一条の金属を中央部分で折り曲げて支点を設けて、ねじりバネが働くように設定して、針軸と針先を設ける。【００１２】  針軸の一端を留め具の一端へ固定する。【００１３】  支点を挟んだ金属の他の一端は先を尖らせて、針先とする。【００１４】  針先の形状を針軸から離れる方向へ半円状に湾曲させる。【００１５】  半円状に湾曲させた針先を生地の中へ差し込んで、湾曲させた針に誘導されて、針先を押し込む。【００１６】  生地の手前へ返した針先を生地から引き出す。【００１７】  引き出した針先を留め具の一端へ差し込んで、留める。
【符号の説明】
【００１８】１          針軸
２          支点
３          留め具
４          針先
５          半円状に湾曲させた針先
６          半円状に湾曲させた針先と同じ方向へ半円状に湾曲させた針軸
７          半円状に湾曲させた針先とは各々の逆方向へ半円状に湾曲させた針軸
【図１】
0003217813.tif 000003
【図２】
0003217813.tif 000004
【図３】
0003217813.tif 000005
【図４】
0003217813.tif 000006
(57)【要約】      （修正有）【課題】太陽電池ライトを観賞だけでなく植物の生育促進にも活用する装置を提供する。【解決手段】ハンギング鉢プレート５の上部空間に太陽電池４によるＬＥＤ照明装置３を取り付け、それにより夜間も鉢プレート５を明るく照らすことができる構成とする。【選択図】図１
0003217812.tif 000002
【実用新案登録請求の範囲】
【請求項１】
太陽電池による照明装置（ＬＥＤライト）を上部に取り付け、鉢プレートを夜間も明るく照らすことが出来る装置。
【考案の詳細な説明】
【技術分野】
【０００１】    本品はこれまで屋外の照明に使用されていた太陽電池によるライトのエネルギーを観賞装置だけでなく植物の生育促進にも活用しようとする装置である。
【背景技術】
【０００２】    従来は屋外の照明以外に太陽電池ライトを活用する装置は無かった。
【考案の開示】
【考案が解決しようとする課題】
【０００３】  （イ）従来の鉢プレートは単に植木鉢を乗せることを目的としていたが、この装置は太陽光を積極的に活用して植物の成長を促進しようとする。【０００４】  （ロ）ハンギングは室内や玄関先などで鉢を吊すことを目的としていたが、積極的に太陽光を捉える装置として活用する。【０００５】  （ハ）ハンギングプレートは昼間ないしは夜間照明された室内でのみ観賞が可能な物であった。
【課題を解決するための手段】
【０００６】  （イ）鉢プレートの上部、ハンギングの中間部分に太陽電池をセットし、下側のライトが夜間も植物観賞を可能にする。【０００７】（ロ）ライトによる夜間照射の効果で、植物によっては開花時期など生育促進を可能にする。
【考案の効果】
【０００８】  （イ）プレートに草花を置くことにより夜間でも照明して、一体型の装飾品としての効        果を上げことができる。【０００９】  （ロ）夜間の照明によりプレート上の植物の開花などを促進する効果を期待できる。【００１０】  （ハ）太陽電池とＬＥＤライトの植物にたいする積極的な活用である。
【図面の簡単な説明】
【００１１】
【図１】中間部に太陽電池ライトと反射カバーを取り付けたハンギングプレート
【符号の説明】
【００１２】  １  上カバー
２  上カバーを斜め下から見た図
３  太陽電池下側（裏側）の円上に配置したＬＥＤライト
４  太陽電池
５  プラスチック鉢プレート
６  吊り下げ用フック
７  吊り下げ用ヒモ
【図１】
0003217812.tif 000003
【手続補正書】
【提出日】平成30年6月21日(2018.6.21)
【手続補正１】
【補正対象書類名】実用新案登録請求の範囲
【補正対象項目名】全文
【補正方法】変更
【補正の内容】
【実用新案登録請求の範囲】
【請求項１】
ハンギング鉢プレートの上部空間に太陽電池によるＬＥＤ照明装置を取り付け、それにより夜間も鉢プレートを明るく照らすことができる装置。
(57)【要約】【課題】折り畳みがしわになり難いダイニングラグの梱包構造を提供する。【解決手段】外箱と、前記外箱内に内挿した緩衝材と、前記外箱内に折り畳んだラグを備え、上記ラグは、幅広いラグの表面を２つ折りにし、２つ折りにしたラグ表面の長手方向の一端部を引き延ばした状態で、当該ラグの他端部を一端部に重ねて２つ折りにし、その２つ折りを逆方向に折り返してさらに２つの円弧をなし、当該円弧において開いた２つの空間に断面四角形状の前記緩衝材を挿入して、３辺の合計が１６０ｃｍ以内となる外箱によって箱詰めする。【選択図】図１
0003217257.tif 000002
【実用新案登録請求の範囲】
【請求項１】
外箱と、前記外箱内に内挿した緩衝材と、前記外箱内に折り畳んだラグを備え、
上記ラグは、当該ラグにおいて開いた２つの空間に前記緩衝材を挿入して、３辺の合計が１６０ｃｍ以内となる外箱によって箱詰めすることを特徴とするダイニングラグの梱包構造。
【請求項２】
上記ラグは、幅広いラグの表面を２つ折りにし、２つ折りにしたラグ表面の長手方向の一端部を引き延ばした状態で、当該ラグの他端部を一端部に重ねて２つ折りにし、その２つ折りによってできたラグ表面とラグ表面からなる２つの円弧の空間に前記緩衝材を挿入してなる請求項１記載のダイニングラグの梱包構造。
【請求項３】
前記緩衝材が断面ロ字状の段ボールである請求項１記載のダイニングラグの梱包構造。
【請求項４】
前記緩衝材が紙管である請求項１記載のダイニングラグの梱包構造。
【請求項５】
ダイニングラグがクッションフロアである請求項１記載のダイニングラグの梱包構造。
【考案の詳細な説明】
【技術分野】
【０００１】
本考案は、ダイニングラグの梱包構造に関するものである。
【背景技術】
【０００２】
従来、ダイニングラグは、丸巻きで出荷していた。
【０００３】
しかし、近時宅配便の料金が改定され、丸巻の場合コストが大幅にアップした。また丸巻の場合、宅配便に関しては預かり不可のところもある。
従って、ダイニングラグの場合、折り畳む構造そのものを根本的に見直す必要がある。
【先行技術文献】
【特許文献】
【０００４】
【特許文献１】特開平６−３１２７７４号公報
【考案の概要】
【考案が解決しようとする課題】
【０００５】
解決しようとする問題点は、折り畳みがしわになり難い梱包構造を考案した点にある。
【課題を解決するための手段】
【０００６】
本考案は、ダイニングラグの場合、丸巻ではなく、折りたたむ構造にすると、畳みがたが発生するので、なるべく緩やかに折って、宅配便で発送できる形に仕上げるとよいとの知見に基づき、以下の構成とした。
外箱と、前記外箱内に内挿した緩衝材と、前記外箱内に折り畳んだラグを備え、
上記ラグは、当該ラグにおいて開いた２つの空間に前記緩衝材を挿入して、３辺の合計が１６０ｃｍ以内となる外箱によって箱詰めすることを最も主要な特徴とする。
【０００７】
ここで外箱は３辺の合計が１６０ｃｍ以内となるようにしているのは、宅配便の料金改定で宅配業者が任意に設定したことに基づくものである。
なお上記ラグは、幅広いラグの表面を２つ折りにし、２つ折りにしたラグ表面の長手方向の一端部を引き延ばした状態で、当該ラグの他端部を一端部に重ねて２つ折りにし、その２つ折りによってできたラグ表面とラグ表面からなる２つの円弧の空間に前記緩衝材を挿入していることが好ましい。
【考案の効果】
【０００８】
本考案のダイニングラグの場合、丸巻ではなく、折り畳む構造としており、しかも軽く折りたためる構造としているため、しわになり難い梱包構造とすることができる。
従って、商品到着の際、例えばダイニングの下側にしわになり難い状態で敷き詰めることができるという利点がある。
【図面の簡単な説明】
【０００９】
【図１】本考案に係るラグの梱包構造の一部飛び出し状態の斜視図である。
【図２】ダイニングラグの表面を示す斜視図である。
【図３】同ラグを２つ折りにした表面状態の斜視図である。
【図４】同ラグの折り畳んだ状態を示す斜視図である。
【図５】同ラグの梱包構造を示す一部飛び出し状態の斜視図である。
【図６】同ラグの梱包状態を示す斜視図である。
【考案を実施するための形態】
【００１０】
図１はこの考案に係るラグの梱包構造を示す斜視図である。１は外箱であり、２は前記外箱１内に内挿した緩衝材であり、３は前記外箱１内に折り畳んだ塩化ビニル製のラグである。
【００１１】
上記ラグ３は、もともと図２に示すごとく、幅広いラグ表面４１を２つ折りにし、図３に示すごとく、２つ折りにしたラグ表面４１の長手方向ａの一端部４１１を引き延ばした状態で、当該ラグ表面４１の他端部４１２を一端部４１１に重ねて２つ折り４１３にし、その２つ折り４１３によってできた２つの円弧５からなる、開いた２つの空間６に図５に示した断面四角形状の前記緩衝材２を挿入し、周囲をビニル袋７で囲繞して、３辺の合計が１６０ｃｍ以内となる前記外箱１によって箱詰めしている。
【００１２】
従って、ラグ４１の表面は２つ折りにしているから二重になっており、前記「その２つ折り４１３によってできたラグ表面とラグ表面の円弧」からなるがゆえに、折り畳みは「軽く」折り畳めるのであり、しかも折り畳んでの出荷なので、裏面の折り目は消えないが、塩化ビニル製ゆえ、表面の折り目はしわになり難く時間の経過とともに消えるので、利用上、全く支障がない。
【００１３】
ところで本考案のラグの梱包構造は上記実施例に限定されない。
たとえば緩衝材はこの実施例では断面ロ字状の段ボールで構成されているが、断面コ字状でもよく、要するに梱包形態を維持できるものであれば差し支えない。また紙管でも差し支えない。折り畳みがしわになり難いダイニングラグとしてはクッションフロアであることが好ましい。
要するに、幅広いラグの表面を２つ折りにし、２つ折りにしたラグ表面の長手方向の一端部を引き延ばした状態で、当該ラグ４１の他端部４１２を一端部４１１に重ねて２つ折り４１３にし、その２つ折り４１３によってできた２つの円弧５からなる、開いた２つの空間６に図５に示した断面四角形状の前記緩衝材２を挿入すれば差し支えない。
【産業上の利用可能性】
【００１４】
前記の通りなので、本考案は、折り畳みがしわになり難い梱包構造とすることができるため、商品到着の際、例えばダイニングの下部に、しわになり難い状態で敷き詰めることができるという利点がある。
【符号の説明】
【００１５】
１      外箱
２      緩衝材
３      ラグ
４１    ラグ表面
４１１  一端部
４１２  他端部    
５      円弧
６      空間
【図１】
0003217257.tif 000003
【図２】
0003217257.tif 000004
【図３】
0003217257.tif 000005
【図４】
0003217257.tif 000006
【図５】
0003217257.tif 000007
【図６】
0003217257.tif 000008
(57)【要約】      （修正有）【課題】ポケットティシュが鞄の中などでクシャクシャになったり片寄ったり取り出す時に不便であったことを解決するポケットティシュ用ストラップを提供する。【解決手段】挟片にスナップボタン３、４を取りつけ、ヒモ６を取りつけたものである。それにより鞄や手さげ袋などに取りつけ、ヒモ６をひっぱるだけで取り出すことができる。【選択図】図３
0003217291.tif 000002
【実用新案登録請求の範囲】
【請求項１】
一対の挟み片に、スナップボタンを取りつけたポケットティシュ用ストラップ
【請求項２】
一対の挟み片同士をあわせてヒモを取りつけた請求項１記載のポケット用ストラップ。
【考案の詳細な説明】
【技術分野】
【０００１】本考案は、スナップボタンを取りつけたポケットティシュ用ストラップに関するものである。
【背景技術】
【０００２】従来はポケットティシュをポケットの中だけでなく手さげ袋や鞄の中でクシャクシャになったり折れたり、どこにあるかわからない事がよくあった。
【先行技術文献】
【特許文献】
【０００３】
【特許文献１】実開平０４−７１６７９号
【考案の概要】
【考案が解決しようとする課題】
【０００４】ポケットの中でクシャクシャになったり鞄の中でどこにあるかわからなくなったりした。
これらの欠点を解決するためのものである
【課題を解決するための手段】
【０００５】上記課題を解決するための手段としてポケットティシュのナイロン袋の部分にとめて手さげ袋や鞄の、ひもにつけて、その中に入れる。
【考案の効果】
【０００６】そうする事により必要な時に鞄をあけてストラップを、ひっぱる事により、より楽にポケットテイシュを取り出せる。
【図面の簡単な説明】
【０００７】
【図１】本考案のポケットティシュ用ストラップの実施形熊の表面図である。
【図２】その挟み片にスナップボタンを取りつけたものである。
【図３】それをかさね合わせヒモをつけたものである
【考案を実施するための形熊】
【０００８】ポケットティシュ用ストラップのスナップボタンの部分を中心に開閉ができポケットティシュがなくなった時交換できる。
【実施例】
【０００９】以下添付図面に従って実施例を説明する。
図１図２において、１、２、は１対の挟み片でありその挟み片１、２、にヒモをつけ、さらにポケットティシュのナイロン袋の部分をとめるためのスナップボタンを３、４、を取りつける。
図３はそれを重ねあわせヒモをつけたものである。
【符号の説明】
【００１０】１  挟片
２  挟片
３  スナップボタン
４  スナップボタン
５  合わせた挟片
６  ヒモ
【図１】
0003217291.tif 000003
【図２】
0003217291.tif 000004
【図３】
0003217291.tif 000005
(57)【要約】      （修正有）【課題】あえて通常の筒型とは異なる拡大鏡に類似した形状に複数のＬＥＤ電球を内蔵する事で、３６０度の全天周囲を広範囲に照らす事を可能とする拡大鏡型懐中電灯を提供する。【解決手段】ＬＥＤ電球の光を凸レンズ１によって空間的に広範囲に拡散させる為に凸レンズ１下部にＬＥＤ電球５個３を埋め込んだ。このようにする事で、発生した光がプラスチック製凸レンズ１とプラスチック製透明フレーム２を透過して３６０度の全天周囲を照らす事が可能となる。【選択図】図１
0003217299.tif 000002
【実用新案登録請求の範囲】
【請求項１】
従来の筒型懐中電灯ではなく、ＬＥＤ電球の光を凸レンズによって空間的に広範囲に拡散させる拡大鏡型懐中電灯
【考案の詳細な説明】
【技術分野】
【０００１】  本考案は、既存の懐中電灯とは異なり、光を拡大鏡の凸レンズによって拡散させるものである。
【背景技術】
【０００２】  従来の懐中電灯は筒型が基本形状であり、光量を増すには内蔵電球の数を増やす・強力な種類の電球を使うのが主であった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  従来の筒型懐中電灯では光がスポットとして照射される為周囲の状況が把握し辛く、周囲を確認する為には保持する手、或いは身体ごと動かす必要があった。
【課題を解決するための手段】
【０００６】  この問題を解決する為に、本考案は所謂「拡大鏡」の形を取っている。凸レンズ下部にＬＥＤ電球を５個埋め込む事により、生じた光がレンズを通して様々な方向に拡散する。また、拡大鏡サイズで小型である事により、腕を動かさずとも持ち出を手の中で回転させるだけで簡単に向きを変えられるという利点もある。
【考案の効果】
【０００７】  第一に、緊急時・災害時における非常灯としての効果が挙げられる。通常の筒型懐中電灯では前述した通り光がスポットとして集中するので周囲の状況が把握し辛いが、当考案では凸レンズを通して３６０度の全天周囲に光が拡散するので、保持者を中心とした「空間」を照らす事が可能である。室内空間では、約２０畳の広さまでを照らし出せる事を確認済みである。また保持せずとも持ち手下部の穴によって様々な場所に吊り下げる事が出来るので、停電時等の光源にも利用可能である。【０００８】  第二に、ＬＥＤ電球の光量による咄嗟の場合の防犯グッズとしての効果が挙げられる。スイッチを入れるだけで強力な光が目を刺すので、向かって来た不審者に目くらましをする事が可能である。一般的な歩道の幅員を十分に照らし出す事の出来る光量なので、特に女性の夜道の一人歩きでは有用である。
【図面の簡単な説明】
【０００９】
【図１】本考案の正面・裏面図、及び側面図である。
【考案を実施するための形態】
【００１０】  ＬＥＤ電球が内蔵されている側が正面となるので、そちらを進行方向に向け裏面の電源ボタンを親指でスライドして点灯させる。足元を見たければ正面を地面に向けて点灯させれば良い。副次的効果として、当然ながら拡大鏡としての機能も持ち合わせている。
【実施例】
【００１１】  以下、添付図面に従って一実施例を説明する。  １はプラスチック製であり、光拡散、及び拡大鏡としての機能を併せ持つ。  ２は他フレーム部分とは異なる無色透明のプラスチックフレームである。着色されたフレームでは光を遮ってしまうが、透明にする事で透過させる事が可能となり、非常灯として更なる光量の確保に成功している。  ３は光量、耐久性に優れた５個のＬＥＤ電球である。奇数個とする事で真中のＬＥＤ電球を凸レンズの真下に配置する事が出来、左右均等な光の拡散を目指している。側面図から見て取れる通り、あえて角度を付けてフレームに埋め込む事で光が凸レンズに侵入して拡散し、通常の筒型懐中電灯よりも広範囲を照らし出す。  ４は電源スイッチであり、これを上方向にスライドさせる事によって点灯させる。  ５は吊り下げ様の穴であり、天井や壁面に本考案を吊るして応用的に用いる事を可能としている。
【産業上の利用可能性】
【００１２】  既に考案の効果第一項・第二項に挙げられている通り、災害時における非常用としての利用可能性・特に女性向けの防犯グッズ、が考えられる。  まず第一項の補足として、本体を硬い金属に変更した上でステンレススチール製の窓割り用ピックをフレームに組み込めば、更なる災害用備品としての用途が広がる。他には、通常の筒型懐中電灯の用途と同じスポット照射用ＬＥＤ電球をフレーム正面に内蔵すれば、全天周囲を照らしつつ更にスポット光で見たい物をはっきり照らし出す事も可能となる。  第二項の補足としては、ＬＥＤ電球の色を変更する事で、更なる防犯が可能となる。例えば赤色に変更すれば、不審者への威圧感もさる事ながら、周囲へ緊急事態を知らせるサインともなる。  他に考えられる利用可能性として、発展途上国への光源供給がある。電気設備が整っていない場所であっても、乾電池さえあればＬＥＤ電球の省エネ・長寿命により長期間の使用が可能となる。
【符号の説明】
【００１３】  １  プラスチック製凸レンズ
２  プラスチック製透明フレーム
３  白色ＬＥＤ電球５個
４  電源スイッチ
５  吊り下げ様の穴
【図１】
0003217299.tif 000003
【手続補正書】
【提出日】平成30年5月15日(2018.5.15)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ電球の光を凸レンズによって空間的に広範囲に拡散させる為に凸レンズ下部にＬＥＤ電球５個を埋め込んだ事を特徴とする、拡大鏡型懐中電灯
(57)【要約】      （修正有）【課題】巻き付けるだけで支柱にロープを簡単に係止することができるロープ類係止装置を提供する。【解決手段】ロープ類係止装置Ａは、支柱に装着される支柱取付部１と、支柱取付部に固定されたロープを係止するロープ保持部２とからなり、ロープ保持部は、線状部材を両端が自由端となる螺旋状に成形されている。また支柱取付部１は、金属板を折り曲げて枠状に成形し内側に支柱を通す空間を有する固定部１ａと、固定部に付属して固定部の外側から操作することにより固定部との間で支柱を固定するネジからなる締付部１ｂとで形成されている。【選択図】図１
0003217294.tif 000002
【実用新案登録請求の範囲】
【請求項１】
支柱に装着される支柱取付部と、この支柱取付部に固定されたロープを係止するロープ保持部とからなり、このロープ保持部は、線状部材を両端が自由端となる螺旋状に成形されていることを特徴とするロープ類係止装置。
【考案の詳細な説明】
【技術分野】
【０００１】  本考案は、ロープ、ケーブル、ワイヤー（以下、「ロープ類」という。）を長い範囲で張る場合に用いることができるロープ類係止装置に関するものである。
【背景技術】
【０００２】  例えば、工事現場における進入禁止を示すため、運動会で応援や観客席を指定するため等の目的で土地の境界を示すためにロープを長い範囲で張る場合があるが、一般的には、前記土地に支柱を立設して、その支柱に設置した輪状金具に前記ロープを挿入することが知られており、斯かる金具として下記特許文献１の「ロープ掛け金具４」等を用いることができる。
【先行技術文献】
【特許文献】
【０００３】
【特許文献１】実開平７−２６４５０号公報
【考案の概要】
【考案が解決しようとする課題】
【０００４】  ロープを設置する場合には、前記金具にいちいちロープの先端を挿入しなければならず、反対に、ロープを除去する場合には、ロープを引きながら前記金具から引抜する必要があり、このようにロープの設置や除去作業に手間がかかる。【０００５】  特に、長い範囲でロープを張る場合には、前述した挿入や引抜を何回も行う必要があり、負荷が大きい。【０００６】  本考案は、このような従来の問題を解決するものであり、簡易な構成でありながら前述した挿入や引抜による作業を必要としない簡易な作業でのロープの設置や除去作業を可能とするロープ類係止装置の提供を目的とするものである。
【課題を解決するための手段】
【０００７】  本考案に係るロープ類係止装置は、支柱に装着される支柱取付部と、この支柱取付部に固定されたロープを係止するロープ保持部とからなり、このロープ保持部は、線状部材を両端が自由端となる螺旋状に成形されている。
【考案の効果】
【０００８】  本考案のロープ類係止装置は、ロープを巻き付けるだけで支柱に係止することができる。
【図面の簡単な説明】
【０００９】
【図１】  本考案の実施例の構成を示す平面図である。
【図２】  同実施例の側面図である。
【図３】  同実施例の正面図である。
【図４】  同実施例の使用状態を説明する正面図である。
【図５】  同上実施例の実施形態に係る実物の斜視写真である。
【考案を実施するための形態】
【００１０】  本考案に係るロープ類係止装置は、支柱に装着される支柱取付部と、この支柱取付部に固定されたロープを係止するロープ保持部とからなり、このロープ保持部は、線状部材を両端が自由端となる螺旋状に成形されていることで、ロープ保持部へロープを巻き付けるだけでロープを支柱に係止することができる。
【実施例】
【００１１】  以下、添付した図１〜３に従って一実施例の構成を説明すると、ロープ類係止装置Ａは、例えば、土地に立設した円柱状の支柱Ｂ（図４参照）に装着される支柱取付部１と、この支柱取付部１にロープＣ（図４参照）を係止するロープ保持部２とからなる。【００１２】  支柱取付部１は、金属板を折り曲げて枠状に成形し内側に支柱Ｂを通す空間を有する固定部１ａと、この固定部１ａに付属して固定部１ａの外側から操作することにより固定部１ａとの間で支柱Ｂを固定するネジからなる締付部１ｂとからなる。【００１３】  ロープ保持部２は、金属製の線状部材を両端が自由端となる螺旋状に成形してなり、固定部１ａの外側の締付部１ｂとは反対側に溶接等により固定されている。【００１４】  斯かるロープ類係止装置Ａは、図４で示すように、支柱Ｂを固定部１ａに通した後に締付部１ｂで支柱Ｂを固定部１ａと締付部１ｂとで挟んで支柱に支柱取付部１を取り付ける。【００１５】  その後、ロープ保持部２にロープＣをロープ保持部２の形状に沿って巻き付けるようにロープ保持部２の内部へロープＣを入れる。【００１６】  このように、単にロープＣをロープ保持部２に巻き付けるだけで、支柱ＢにロープＣを間接的に係止することができる。【００１７】  従って、従来のように、ロープを設置や除去する場合に必要とされるロープの挿入や引抜の手間が不要であり、簡単にロープを支柱に止めたり外したりでき、特に、長い範囲でロープを張る場合には、短時間での作業が可能となり、作業の負荷低減に寄与するものである。【００１８】  また、ロープ保持部２の高さ（支柱Ｂの垂直方向の位置）は、支柱取付部１の位置で決まるため、任意の高さでロープＣを張ることができる。【００１９】  なお、図５は、本考案に係るロープ類係止装置Ａの実物の斜視写真であるが、これに限らずに、この考案の趣旨を逸脱しない範囲において、種々の変更が可能であることは言うまでもない。
【符号の説明】
【００２０】    Ａ  ロープ類係止装置
１  支柱取付部
１ａ  固定部
１ｂ  締付部
２  ロープ保持部
Ｂ  支柱
Ｃ  ロープ
【図１】
0003217294.tif 000003
【図２】
0003217294.tif 000004
【図３】
0003217294.tif 000005
【図４】
0003217294.tif 000006
【図５】
0003217294.tif 000007
(57)【要約】      （修正有）【課題】シャワーを長時間容易に使用出来るようにした簡便なシャワーヘッド保持用具を提供する。【解決手段】指を挿入出来るように、金属、プラスティック、革又はゴム製の、板、網目状シート、或いは多孔板シートを加工して作られた、断面形状が円、楕円、半円、多角形等の任意の形状の指挿入用短管２乃至３本を、シャワーヘッドの柄のシャワーヘッドの放水部に近い部位に、放水面の反対側に取り付けることが出来るように、シャワーヘッドの柄に挿入することが出来る金属、プラスティック、革又はゴム製の短管を、上記指挿入用短管と一体成型、接着或いはねじ止めなど機械的方法により結合する。【選択図】図２
0003217298.tif 000002
【実用新案登録請求の範囲】
【請求項１】
指を２乃至３本挿入出来る、断面形状が円、楕円、半円、多角形等の任意の形状の短管（管の壁の構造が、網目状或いは多孔板状である物も含む）２乃至３本を、シャワーヘッドの柄の部分に取り付けることが出来る金属製、プラスティック製、革製又はゴム製のシャワーヘッド保持用具
【考案の詳細な説明】
【考案の詳細な説明】
【技術分野】
【０００１】  本考案は、人体を洗浄する際に一般に使用されているシャワー装置に関し、シャワー使用者のシャワーヘッドの保持方法に関するものである。
【背景技術】
【０００２】  日本人は昔から浴槽での入浴を好む民族であるが、近年若者を中心に、浴槽に入らずにシャワー洗浄だけで体の洗浄を済ませる人が増えでいる。【０００３】  しかし、シャワーだけで体の洗浄を済ませるとなると、浴槽に入浴した後の仕上げ洗浄の場合とは異なり、シャワーの連続使用時間は当然長くなり、１０分以上になることも多くなる。
【考案の概要】
【考案が解決しようとする課題】
【０００４】  シャワーを使用する人の体力や年齢或いはシャワーヘッドの重量にもよるが、シャワーヘッドの柄の部分を手で握って長時間使用し続けると、手首にシャワーヘッドの重みを感じて手首に疲れを感じることがある。【０００５】  シャワーヘッドの柄を手で握って長時間保持していると、握力を維持している手に疲れを感じることがある。
【課題を解決するための手段】
【０００６】  このシャワー使用中に感ずるシャワーヘッドを保持している手及び手首の疲れ及び必要な握力を軽減するために、２乃至３本の指を挿入できる２乃至３本の短管をシャワーヘッドの柄のシャワーヘッドの放水部に近いところに簡単に取り付ける事が出来る用具を提供する。
【考案の効果】
【０００７】  この用具を使ってシャワーを使用すると、シャワーヘッドの柄の部分を握ってシャワーを使用する場合に比べて、長時間シャワーを使用しても、シャワーを握っている手首の疲れ及び必要な握力が著しく軽減される。
【図面の簡単な説明】
【０００８】
【図１】本考案用具を使用してシャワーヘッドを保持している時の状態を示す平面図である。
【図２】本考案用具を使用してシャワーヘッドを保持している時の状態を示す側面図である。
【図３】本考案用具をシャワーヘッドに取り付けた状態での斜視図である。
【図４】本考案用具の縦断面図である。
【図５】本考案用具側面図である。
【考案を実施する為の形態】
【０００９】  本考案の実施形態を図１〜図６に基づき説明する。
【００１０】  本考案用具を、指を挿入する部分がシャワーヘッドの放水面の反対側に来るようにシャワーヘッドの柄の放水部に近い部位に取付けてシャワーを使用する。
【図１】
0003217298.tif 000003
【図２】
0003217298.tif 000004
【図３】
0003217298.tif 000005
【図４】
0003217298.tif 000006
【図５】
0003217298.tif 000007
【手続補正書】
【提出日】平成30年5月14日(2018.5.14)
【手続補正１】
【補正対象書類名】実用新案登録請求の範囲
【補正対象項目名】全文
【補正方法】変更
【補正の内容】
【実用新案登録請求の範囲】
【請求項１】
指を挿入出来るように、金属、プラスティック、革又はゴム製の、板、網目状シート、或いは多孔板シートを加工して作られた、断面形状が円、楕円、半円、多角形等の任意の形状の指挿入用短管２乃至３本を、シャワーヘッドの柄のシャワーヘッドの放水部に近い部位に、放水面の反対側に取り付けることが出来るように、シャワーヘッドの柄に挿入することが出来る金属、プラスティック、革又はゴム製の短管を、上記指挿入用短管と一体成型、接着或いはねじ止めなど機械的方法により結合したシャワーヘッド保持用具。
【手続補正２】
【補正対象書類名】明細書
【補正対象項目名】０００６
【補正方法】変更
【補正の内容】
【０００６】    指を挿入出来るように、金属、プラスティック、革又はゴム製の、板、網目状シート、或いは多孔板シートを加工して作られた、断面形状が円、楕円、半円、多角形等の任意の形状の短管２乃至３本を、シャワーヘッドの柄のシャワーヘッドの放水部に近い部位に、放水面の反対側に取り付けることが出来るように、シャワーヘッドの柄に挿入することが出来る金属、プラスティック、革又はゴム製の短管を、上記指挿入用短管と一体成型、接着或いはねじ止めなど機械的方法により結合したシャワーヘッド保持用具を提供する。
【手続補正３】
【補正対象書類名】明細書
【補正対象項目名】０００８
【補正方法】変更
【補正の内容】
【０００８】
【図１】本考案用具を使用してシャワーヘッドを保持している時の状態を示す平面図である。
【図２】本考案用具を使用してシャワーヘッドを保持している時の状態を示す側面図である。
【図３】本考案用具をシャワーヘッドに取り付けた状態での斜視図である。
【図４】本考案用具の縦断面図である。
【図５】本考案用具側面図である。図４及び図５の▲１▼は指を挿入する短管、同じく▲２▼は考案用具をシャワーヘッドに固定する為に、シャワーヘッドの柄に水道ホースを取り付ける部位を挿入する固定用具である。
【手続補正４】
【補正対象書類名】明細書
【補正対象項目名】００１０
【補正方法】変更
【補正の内容】
【００１０】  本考案用具を、指を挿入する部分がシャワーヘッドの放水面の反対側に来るように図４及び図５の２の部分を、シャワーヘッドの柄の部分に水道ホース接続口側から挿入した状態で使用する。
【手続補正５】
【補正対象書類名】図面
【補正対象項目名】図４
【補正方法】変更
【補正の内容】
【図４】
0003217298.tif 000008
【手続補正６】
【補正対象書類名】図面
【補正対象項目名】図５
【補正方法】変更
【補正の内容】
【図５】
0003217298.tif 000009
(57)【要約】      （修正有）【課題】右手で持った時でも、左手で持った時でも、目盛りを間違えないように、読みやすい巻尺を提供する。【解決手段】巻尺の目盛りを両側に入れて、数字を上下に相反する様に表記する。左手利き、右手利きでもメモを取りながら間違わずに計測が出来る。【選択図】図１
0003217290.tif 000002
【実用新案登録請求の範囲】
【請求項１】
巻尺の両側に数字目盛りを付けて左手利き、右手利きでも使える物
【考案の詳細な説明】
【考案の詳細な説明】
【考案が解決しようとする課題】
【０００１】  従来、巻尺は目盛りの数字が伸ばした時に見ると、左から右へ書いてあるが、計測しながらメモを取ろうとすると、巻尺を左手に持ち変えて、右手で文字を書かなくては成らずに、その時、左手で伸ばした巻尺の数字を見ると逆さまに成っているので、非常に見ずらく、間違えやすい。
【課題を解決する為の手段】
【０００２】  巻尺の目盛りを両側に入れて、数字を上下に相反する様に表記する
【考案の効果】
【０００３】  メモを取りながら計測が間違わずに出来て非常に楽に成った
【図面の簡単な説明】
【図１】  巻尺を少し伸ばした状態の斜視図である
【符号の説明】  １    巻尺本体
２    左手利き目盛りの数字
３    右手利き目盛りの数字
４    巻尺先端
【図１】
0003217290.tif 000003